(57)【要約】　　　（修正有）【課題】電気工事施工上に於ける回路（導通）試験作業の完全実施実現と、従来２人による検査を１人とする省人化装置を提供する。【解決手段】送信器、受信器、スイッチ回路補助冶具、ショート冶具より構成された無線式電気配線回路（導通）試験装置である。試験方法としては、施工済み電気配線回路内の擬似的作業によって作られた短絡状態を送信器が無線で送信し、その情報を携帯している受信器の音と光で表示するものである。コンセント等、電源部を短絡させる方法としては、電気工事者が携行しているペンチを使用するものであるが、スイッチ回路では、スイッチ補助冶具、短絡補助冶具を使用して短絡状態を作り出して検査する方法である。【選択図】図１
2004144724.tif 000002
【特許請求の範囲】
【請求項１】
電気配線の回路上の導通状態を検知し、その状態を電波法の微弱電流及び、特定小電力程度の電波を使用して導通の有無状態を送信させる送信器と、それを受信可能範囲で、発光ダイオード、ブザーのような目と耳で導通状態を確認できる受信器から構成された無線式電気配線回路試験装置。
【請求項２】
送信器は、測定対象物の２線間の回路（導通）試験を行う為の脱着式測定用クリップ付リード線測定端子、アンテナ、電源切り替えスイッチ（入、切）、送信待機表示ランプを備え付け、測定対象の２線間の短絡（ショート）が発生した時、その情報を他方の受信器にその状態を連続的に情報送信する送信器と送信器の送信情報を目と耳で確認できるようにした受信器である。構成としては、アンテナ、電源切り替えスイッチ（入、切）、受信可能待機表示ランプ、受信測定可能エリア表示ランプ、受信表示ランプ、受信ブザーからなり、さらに腕装着用バンドを備え付けた請求項１の無線式電気配線回路試験装置。
【請求項３】
電気配線のスイッチ回路測定に於いて測定準備となるスイッチの装、脱着をＦケーブル、ＩＶ電線の被覆を剥ぎ取ることなく、その電線を線種別補助冶具に、押し込み、引出しの１アクションでスイッチの装、脱着を可能とした補助冶具を兼ね備え、又、照明配線には、同じ方法による短絡（ショート）補助冶具が備わった請求項１の無線式電気配線回路試験装置。
【発明の詳細な説明】
【０００１】
【発明の属する技術分野】
本発明は電気屋内配線工事に於いて、配線工事後の配線回路内の誤配線、結線ミス、断線を個別に確認する事ができる電気配線回路試験装置に関する。
【０００２】
【従来の技術】
屋内配線電気工事の施工基準上に於ける検査項目の１つに回路（導通）試験があり、従来作業現場でこの種の試験方法としては、（図８）に示すように、ケーブル断面の芯線にテスター、簡易ブザーの測定リード端子を接触させ試験を行う場合がほとんどである。
【０００３】
従来の屋内配線工事に於ける回路（導通）試験の１部分をスポイルした実施例としては、（図９）の示す通りであり、電源側ケーブルを短絡（ショート）させ、例えばコンセント配線の測定の場合、そのケーブル断面の芯線に測定端子を接触させ、テスター、簡易ブザー等で導通の有無を確認し、回路（導通）の正誤を判定している。
スイッチ照明回路においては（図１０）の通りであり、一人が照明配線ケーブル断面の芯線に測定端子を接触させ、他の一人が合図と共にあらかじめ測定用に取り付けてある各スイッチを入、切させ、コンセントと同様に回路（導通）確認試験を二人で実施している。
【０００４】
従来、配線回路（導通）試験を実施する為の測定器としてはテスター及び、ブザーが一般的であるが、一方、無線方式での導試験器、装置として（特許文献１）がある。
その内容としては、データ取り送受信器、情報命令送受信器、データ処理端末機より構成され、各配線の先端にデータ取り送受信器を個別に取り付け、配線上に情報命令送受信器の送信命令により、データ取り送受信器の特定ポイント上に電圧をかけ、各配線端末に取り付けられた送受信器個々の電圧値を、各個々の送受信器が情報命令送受信器にフィードバックし、あらかじめ入力された設計回路データとの比較、解析により、正常、異常をデータ端末処理機が繰り返し判断し、測定結果を提供するものである。
この方式は一人作業での検査実施が可能であるが、装置である為、その作業をするための準備（開始までと終了時）にかなりの時間を要する事が推測される。又、電気工事作業者に、工事以外の高度な専門知識を必要とするものである。
進行中の工事現場内では配線の端末が大量の資材、作業用足場等に隠れる事もしばしばあり、すべての配線端末部への送受信器の取り付け等の作業に対する環境はかなり厳しい条件が強いられ、工場出荷のユニットケーブルに対する検査には適するが、一般電気工事現場での検査に対しては、実施率が期待できないものと推測される。
又、各送受信器に求める仕様が多様であり、配線検査に対し、すべての配線端末部に取り付けるデータ取り送受信機の準備数量の把握が難しく、効果に対する費用負担が相当大きいものと推定される。
【０００５】
又、（特許文献２）では、送信器と受信器から構成され、検査方法としては、一方の各対象配線にそれぞれ異なる信号を送信器が出力し、反対側の各配線端末で、その種別を受信器が読み取って判定する配線検査方法である。
送信、受信方式及び、伝達方式は有線である。又、検査対象を通信配線とした機器の構成である。
【０００６】
又、（特許文献３）では、無線を送受信方式として採用しているが、集合住宅用弱電系配線チェッカーを限定とした機器、冶工具から構成されている。
【０００７】
工事現場に於ける検査環境は大変厳しく、特に試験測定の姿勢がとり難い場所（高い場所、狭い場所、資材に一部隠れた場所等）が多く存在し、その為、作業能率が悪く、又、その作業そのものがストレスの原因ともなっている。その為、電気工事担当者が回路（導通）試験を見送る（未実施）事も数多く見かけられる。その結果、駿工時の点灯試験（コンセントの電圧、照明点灯チェック）で、電気配線及び、結線ミスが発覚され、工事の完成後ということで手直しに多くの費用が発生している。
一方、配線回路（導通）試験実施済みの場合、駿工を迎えるに至って、配線、結線ミスの不安から逃れる事ができる。
【０００８】
更に、スイッチ照明回路において、テスター、ブザーでの試験測定では、スイッチを入、切する人、テスター及びブザーでその状態を回路（導通）測定試験する人の二人作業（図１０）を必要としている。
【０００９】
【特許文献１】
特開平１１−１３３０８７号公報
【特許文献２】
特開平１１−２４８７８２号公報
【特許文献３】
特許第２９６１２９２号公報
【００１０】
【発明が解決しようとする課題】
このように電気工事の作業現場では施工上、実施しなければいけない回路（導通）試験の実施意欲を損なう要因が数多く存在し、未実施の場合、駿工時の点灯試験の実施まで、配線の誤配線、結線ミス、断線に対する不安が付きまとっていた。
【００１１】
そこで本発明は、上述の課題を解消すべく創出されたものであり、回路（導通）試験測定を一人で、しかも容易に実施する事ができる電気配線回路（導通）試験装置の提供を目的とするものである。
【００１２】
【課題を解決する為の手段】
上述の目的を達成すべく、本発明の第一手段は、電波法の微弱電流、特定小電力程度の電波を利用し、電気工事配線作業終了後の配線状態を電源盤側の測定対象回路ケーブル芯線２本に送信器の測定端子を取り付け、導通有りと、導通無しの２種類の情報を送信器が検知し、その信号を常時受信器に送り、発光ダイオード、ブザーなどの目と耳で導通状態を受信可能範囲内で送信器からの情報を受信器に知らせるものである。
尚、送信器には、脱着式の測定用クリップ付リード線検査測定端子２本が付いたものである。又、回路別の試験ができるように本考案では、測定端子を３組取り付け、同時に３回路までの測定試験が可能なものである。
【００１３】
第二の手段としては、測定待機中か、電源切（ＯＦＦ）状態かを知る為の測定可能ランプを送信器に付属したものであり、受信器には、受信待機中か、電源切（ＯＦＦ）状態かを知るためのランプを付属したものである。
又、回路（導通）試験を実施しようとするその場所が、送信器からの情報を受信可能であるか否かを確認できる表示ランプ（受信可能エリア表示ランプ）もついたものである。
【００１４】
第三の手段は作業性を高める為、検査前の準備である各種スイッチの脱着が、押し込み、引出しの１アクションで可能とする補助冶具（図３，４）を兼ね備え、又、照明への配線にも同じ方法による短絡（ショート）補助冶具を使用するものである。
【００１５】
第四の手段は、さらに作業性を高める為、導通状態の表示を確認する受信器を、回路（導通）試験測定者の腕に取り付けられるようにバンドを取り付けたものである。
【００１６】
【発明実施の形態】
以下、図面を参照して、本発明の実施形態について詳細の説明をする。
【００１７】
本発明の電気配線回路試験装置の構成は、電波法の微弱電流、特定小電力程度の電波を利用する送信器と、送信器からの情報を伝える受信器、スイッチ回路に於ける補助冶具３種から構成される。
【００１８】
送信器（図１）には回路（導通）試験用の脱着式測定用クリップ付リード線測定端子２本が３組（Ａ１、Ａ２、Ａ３）、送信用アンテナ（Ｂ）、電源スイッチ（Ｃ）、送信待機表示ランプ（Ｄ）、ストラップ（Ｅ）から構成され、電源としては、電池を使用するものである
尚、導通情報送信信号は、連続的信号とする。
【００１９】
受信器は（図２）、送信器からの導通情報信号を音と光で検知させる為、構成としては受信アンテナ（Ｆ）、電源スイッチ（Ｇ）、受信待機表示ランプ（Ｈ）、受信可能エリア表示ランプ（Ｉ）、発信器からの導通情報を検知しそれを知らせるブザー（Ｊ）、回路別導通表示ランプ（Ｋ１、Ｋ２、Ｋ３）からなり、電源としては、電池を使用するものである。
又、作業性を高める為、検査作業者の腕に装着する為の装着バンド（Ｌ）から構成される。
【００２０】
スイッチ回路で使用するスイッチ補助冶具は、配線材の種別、状況により２種類（図３，４）のどちらかを使用するものである。
（図３）のスイッチ補助冶具はＩＶ電線を対象とした場合であり、構成としては、噛み込みよう金属刃部（Ｏ）、それを取り付ける台座（Ｐ）、各金属刃部と電気的に接続されたリード線（Ｑ）からなる。
使用方法としては、金属刃部の溝部に向けて（矢印方向）、ＩＶ電線を押し込む。構造上、弾性体的な金属刃部に食い込ませることにより、被覆部を突き破り、芯線と電気的接続を得る事ができる構造である。
各金属刃部に押し込まれたＩＶ電線は、リード線を経由し、そのリード線が配線回路試験に必要なスイッチの接続端子にあらかじめセットされている事で、ＩＶ電線のスイッチへの装着が１アクションで済むものである。脱装はその反対に、矢印と反対方向に引き抜く事でこれも１アクションで済むものである。
【００２１】
スイッチ補助冶具（図４）は、Ｆケーブルを対象とした場合であり、構成としては、バネ機構を備えた触針（Ｒ）、その触針を保持及び、Ｆケーブルの先端を触針まで案内する案内板付台座（Ｓ）、Ｆケーブルが矢印方向から挿入された時の抜け止めストッパー（Ｔ）、触針末端に電気的に接続されたリード線（Ｑ）からなる。又、（図５）はその断面図である。
使用方法としては、Ｆケーブルの各線種別サイズに基づき、各種サイズ別案内板付台座に対象Ｆケーブルを矢印方向から案内板に沿って挿入ストップ位置まで押し込む。すると、Ｆケーブル先端芯線が触針に当る。その結果芯線は、バネ機構をもつ触針に押され、後ろに戻ろうとするが、抜け止めストッパーによりＦケーブル芯線に触針が突き刺さった状態を保持するものである。その状態により、Ｆケーブル各芯線と、各触針とは電気的接続が得られるものであり、その触針末端のリード線を経由し、そのリード線が配線回路試験に必要なスイッチの接続端子にあらかじめセットされている事で、Ｆケーブルのスイッチへの装着は１アクションで済むものである。
脱装は、抜け止めストッパーを解除し、反対に矢印方向に引き抜く事でこれも１アクションで済むものである。
【００２２】
又、スイッチ回路の照明を想定したケーブルの先端を短絡させる為の短絡補助冶具は、（図４）のスイッチ補助冶具の触針末端のリード線を短絡させたものであり、装着、脱装方法はまったく同じである。
【００２３】
【実施例】
基本的実施方法としての１部分をスポイルした実施例としては、（図１１）の通りであり、電源盤側測定対象回路ケーブルの芯線２本に送信器のクリップ付リード線測定端子を取り付ける。一方、回路（導通）試験測定者は、付属バンドで腕に受信器を装着し、電気工事者が常時携帯しているペンチ等の刃部で、測定対象のケーブルを噛み込み、短絡（ショート）状態にする。
例えば、コンセントへの配線ケーブルを上記のようにすると、送信器が短絡（導通）状態を検知し、受信器にその情報信号を発する。それにより、受信器で受けた情報信号を検査作業者は、携帯している受信器音の鳴動と光の点灯により導通状態を瞬時に確認する事ができる。
スイッチ付照明回路に於いては、スイッチ回路の照明を想定したケーブルの先端を短絡補助冶具を使用し、短絡（ショート）させ、あらかじめ測定用に取り付けてある各補助冶具付スイッチを入、切させ、コンセント配線と同様に瞬時に音と光で回路状態を確認する事ができる。
尚、回路（導通）試験の条件としては、受信可能エリアである事を示す受信測定エリア表示ランプが点灯している事である。
１系統の配線導通試験としては、上記の通りであるが、本考案品は３系統までの配線回路試験が同時に可能であり、例えば対象測定回路番号１番のケーブルに対しては、送信器の（Ａ１）の測定端子に接続する事でその測定結果をランプ（Ｋ１）と、ブザー（Ｊ）で表示するものである。
又、対象測定回路番号２番のケーブルに対しては、測定端子（Ａ２）を、対象測定回路番号３番のケーブルに対しては、測定端子（Ａ３）を接続する事でランプ（Ｋ２）（Ｋ３）と、ブザー（Ｊ）で測定回路番号１番と同様に回路別に表示するものである。
送受信器の概略回路図としては、（図６，７）の通りである。
【００２４】
【発明の効果】
本発明は、上記の如く構成したことにより、当初の目的を達成する。
【００２５】
即ち、回路（導通）試験を二人作業から一人作業に省人化するに留まらず、作業の難易度が従来に比べて飛躍的に容易な作業となる為、電気配線回路試験の測定作業時間が大幅に短縮できる。
【００２６】
従来の方法では、（図８）のようにケーブル断面の芯線への測定端子の接触が不可欠であり、その作業の難易度が高かった為、イライラしながらの作業がほとんどである。その為、作業ストレスの原因ともなり、本来行うべき回路（導通）試験の未実施につながっていた。
本発明に於いては、本発明品以外の使用工具としては、電気工事作業者が常時携帯しているペンチだけを使用し、しかも、もっとも容易な方法を採用しているので、回路（導通）測定試験作業を苦としない作業にする事ができ、一度体験する事で、その効果に於いて本来施工中に実施しなければならない回路（導通）試験の実施率を高める事が容易にできる。
【００２７】
高所の回路（導通）試験対象ケーブルの測定では、従来の方法であるケーブル断面の芯線に測定端子の接触作業の難易度が高い為、しっかりした作業姿勢を安全上要求されるが、本発明は、電気工事者が携帯しているペンチで単に短絡（ショート）作業と、スイッチ回路用の冶具の取り付けだけで済む為、作業姿勢を重要視する必要が無く、回路（導通）試験作業に於ける安全性を飛躍的に高める事ができる。
【００２８】
本発明の電気配線回路試験装置により、本来実施すべき回路（導通）試験の実施率が高まる事で、工事担当者が、未実施による駿工時までの誤配線、結線ミス、断線に対する不安を解消する事ができるものである
【００２９】
このように本発明は、回路（導通）試験の作業改善に留まらず、本来電気工事者が行わなければならないその試験の実施率を飛躍的に高める事のできる試験装置である。
又、安全作業にも貢献するなどといった有益な種々の効果を奏するものである。
【図面の簡単な説明】
【図１】本発明品の送信器斜視図。
【図２】本発明品の受信器斜視図。
【図３】本発明品のＩＶで使用するスイッチ補助冶具斜視図。
【図４】本発明品のＦケーブルで使用するスイッチ補助冶具斜視図。
【図５】本発明品のＦケーブルで使用するスイッチ補助冶具断面図。
【図６】本発明品の受信器を示す概略回路図。
【図７】本発明品の送信器を示す概略回路図。
【図８】従来の技術である、芯線にテスター（ブザー）を当てての検査状態を示す斜視図。
【図９】従来の検査実施例を示す概略説明図その１。
【図１０】従来の検査実施例を示す概略説明図その２。
【図１１】本発明品の検査実施例を示す概略説明図。
【符号の説明】
Ａ１〜３　脱着式測定用クリップ付リード線測定端子
Ｂ　　　　送信アンテナ
Ｃ　　　　送信電源スイッチ
Ｄ　　　　送信待機表示ランプ
Ｅ　　　　ストラップ
Ｆ　　　　受信アンテナ
Ｇ　　　　受信電源スイッチ
Ｈ　　　　受信待機表示ランプ
Ｉ　　　　受信可能エリア表示ランプ
Ｊ　　　　ブザー
Ｋ１〜３　回路別導通表示ランプ
Ｌ　　　　装着バンド
Ｍ　　　　受信モジュール
Ｎ　　　　送信モジュール
Ｏ　　　　金属刃部
Ｐ　　　　台座
Ｑ　　　　リード線
Ｒ　　　　触芯
Ｓ　　　　案内板付台座
Ｔ　　　　抜け止めストッパー
【図１】
2004144724.tif 000003
【図２】
2004144724.tif 000004
【図３】
2004144724.tif 000005
【図４】
2004144724.tif 000006
【図５】
2004144724.tif 000007
【図６】
2004144724.tif 000008
【図７】
2004144724.tif 000009
【図８】
2004144724.tif 000010
【図９】
2004144724.tif 000011
【図１０】
2004144724.tif 000012
【図１１】
2004144724.tif 000013